(57)【要約】【課題】異なる音質が得られるスピーカーシステムを提供すること。【解決手段】キャビネット１内に隔壁１１を設けて形成した少なくとも第１空間部１ａと第２空間部１ｂの双方にスピーカーＳを配設し、前記第１空間部１ａと前記第２空間部１ｂに外部と連通する開口部１ｄを設け、その開口部１ｄ同士を蓋状部材２で覆って前記第１空間部１ａと前記第２空間部１ｂとを連通する連通路を形成すると共に、その連通路の中間部に連通路を間仕切り及び間仕切りを開放する間仕切り手段３を設けて、音道を選択的に形成する。【選択図】図１
2007243538.tif 000002
【特許請求の範囲】
【請求項１】
キャビネット内に隔壁が設けられて、少なくとも第１空間部と第２空間部とが形成され、その第１空間部と第２空間部の双方にスピーカーが配設されてなるスピーカーシステムであって、
前記第１空間部と前記第２空間部とを連通させる連通路が形成されると共に、その連通路の中間部で、その連通路を間仕切り及び間仕切りを開放させる間仕切り手段を備えていることを特徴とするスピーカーシステム。
【請求項２】
前記第１空間部と前記第２空間部との間に第３空間部が画設され、
前記間仕切り手段は、その第３空間部に内装されると共に、前記キャビネットの外面から前記連通路の間仕切り具合を調整可能に構成されていることを特徴とする請求項１記載のスピーカーシステム。
【請求項３】
前記第１空間部及び前記第２空間部を形成させる壁面に外部と連通された一対の開口部が設けられ、前記キャビネットの外面からその開口部同士を連通可能に蓋状部材で被装させて、前記連通路が形成されてなることを特徴とする請求項２記載のスピーカーシステム。
【請求項４】
前記開口部は、前記第１空間部及び前記第２空間部を形成させる壁面のうち、前記スピーカーの背面側となる夫々の壁面に形成されてなることを特徴とする請求項３記載のスピーカーシステム。
【請求項５】
前記間仕切り手段は、
前記第３空間部の壁面に設けられ、板状の間仕切り板を前記キャビネットから出没可能に係合させた保持部と、
前記蓋状部材の内面に形成され前記間仕切り板をガイドさせるガイド溝と、
前記第３空間部の外面に先部が突設されると共に基部が前記間仕切り板と噛合され、その先部を回動させることで、前記間仕切り板を前記キャビネットから出没させる調整部材と
を備えてなることを特徴とする請求項３または４記載のスピーカーシステム。
【請求項６】
キャビネット内に隔壁を設けて形成した少なくとも第１空間部と第２空間部の双方にスピーカーを配設し、前記第１空間部と前記第２空間部とを連通する連通路を形成すると共に、その連通路を間仕切り及び間仕切りを開放して音道を選択的に形成することを特徴とするスピーカーシステムにおける音道形成方法。
【発明の詳細な説明】
【技術分野】
【０００１】
本発明は、スピーカーシステム及び音道形成方法に関する。
【背景技術】
【０００２】
スピーカーシステムは、低音域の量感を増すために、例えば、離間して配設された左右チャンネルの各キャビネットを、スピーカを収納する第１のキャビティーと、第１のキャビティーと障壁によって隔てられた第２のキャビティーと、第１のキャビティーに設けられた第１のキャビティーと第２のキャビティーとを連通させるための第１ダクトと、第２のキャビティーに設けられた外部空間と連通させるための第２ダクトとで構成し、さらに、各キャビネットの第２のキャビティー同士を接続ダクトで連通させたスピーカーシステムがある（例えば特許文献１参照）。
【０００３】
【特許文献１】特開２００４−３２０２０７公報（第２頁、図１）
【発明の開示】
【発明が解決しようとする課題】
【０００４】
上記した従来のスピーカーシステムは、低音再生限界を下げ、音圧特性の改善が望める好適なものと思料するが、しかしながら、従来のスピーカーシステムは、夫々のスピーカーキャビネット同士を、パイプ状の接続ダクトで連通させて、夫々のスピーカーキャビネット同士を音道で結んでいるのみなので、換言すれば、他の音質を奏でる構造にはなっていなかった。
【０００５】
そこで本発明は、このような状況に鑑みてなされたものであり、上記問題点を解決できるスピーカーシステム及び音道形成方法を提供することを目的とする。
【課題を解決するための手段】
【０００６】
上記技術課題を達成するために、本発明にかかるスピーカーシステム及び音道形成方法は、下記の技術的手段を講じた。
すなわち、本発明にかかるスピーカーシステムは、キャビネット内に隔壁が設けられて、少なくとも第１空間部と第２空間部とが形成され、その第１空間部と第２空間部の双方にスピーカーが配設されてなるスピーカーシステムであって、前記第１空間部と前記第２空間部とを連通させる連通路が形成されると共に、その連通路の中間部で、その連通路を間仕切り及び間仕切りを開放させる間仕切り手段を備えていることを特徴とする。
また、本発明にかかるスピーカーシステムは、前記発明において、前記第１空間部と前記第２空間部との間に第３空間部が画設され、前記間仕切り手段は、その第３空間部に内装されると共に、前記キャビネットの外面から前記連通路の間仕切り具合を調整可能に構成されていることを特徴とする。
また、本発明にかかるスピーカーシステムは、前記発明において、前記第１空間部及び前記第２空間部を形成させる壁面に外部と連通された一対の開口部が設けられ、前記キャビネットの外面からその開口部同士を連通可能に蓋状部材で被装させて、前記連通路が形成されてなることを特徴とする。
また、本発明にかかるスピーカーシステムは、前記発明において、前記開口部は、前記第１空間部及び前記第２空間部を形成させる壁面のうち、前記スピーカーの背面側となる夫々の壁面に形成されてなることを特徴とする。
また、本発明にかかるスピーカーシステムは、前記発明において、前記間仕切り手段は、前記第３空間部の壁面に設けられ、板状の間仕切り板を前記キャビネットから出没可能に係合させた保持部と、前記蓋状部材の内面に形成され前記間仕切り板をガイドさせるガイド溝と、前記第３空間部の外面に先部が突設されると共に基部が前記間仕切り板と噛合され、その先部を回動させることで、前記間仕切り板を前記キャビネットから出没させる調整部材とを備えてなることを特徴とする。
また、本発明にかかるスピーカーシステムにおける音道形成方法は、キャビネット内に隔壁を設けて形成した少なくとも第１空間部と第２空間部の双方にスピーカーを配設し、前記第１空間部と前記第２空間部とを連通する連通路を形成すると共に、その連通路を間仕切り及び間仕切りを開放して音道を選択的に形成することを特徴とする。
【発明の効果】
【０００７】
本発明によれば、キャビネット内に隔壁を設けて形成した少なくとも第１空間部と第２空間部の双方にスピーカーを配設し、前記第１空間部と前記第２空間部とを連通する連通路を形成すると共に、その連通路の中間部で、その連通路を間仕切り及び間仕切りを開放する間仕切り手段を備えて音道を選択的に形成するから、異なる音質を奏でるスピーカーシステムを提供できる。
【発明を実施するための最良の形態】
【０００８】
次に、本発明を実施するための最良の形態を、図面を参照して具体的に説明する。
本実施の形態にかかるスピーカーシステムは、ＣＤやＭＤ等の音楽再生が可能なポータブルタイプの音楽再生装置に組み込まれるものを例示しており、図１に示すように、キャビネット１と、蓋状部材２と、間仕切り手段３とを備えて構成される。
【０００９】
キャビネット１は、図１〜図５に示すように、音楽再生装置の外観形状を形成させる略中空の箱状に形成されており、そのキャビネット１内が２つの隔壁１１で仕切られて、左右に画設された第１空間部１ａと第２空間部１ｂ、この第１空間部１ａと第２空間部１ｂとの間に画設された第３空間部１ｃとを備えてなる。
【００１０】
この第１空間部１ａと第２空間部１ｂにはスピーカーＳが配設され、第３空間部１ｃには後述する間仕切り手段３の保持部３２と、ＣＤやＭＤ等の音楽再生機能を実現させるための実行部が配設される。
【００１１】
また、この第１空間部１ａと第２空間部１ｂには、その空間部を形成させる壁面のうち、スピーカーＳの背面側となる夫々の壁面に、略矩形状の開口部１ｄが形成されている。
【００１２】
蓋状部材２は、図４及び図５に示すように、開口部１ｄ同士を連通させる凹部２ａが形成されると共にその凹部２ａの周囲が鍔状に形成された所要長さの蓋状に形成されており、キャビネット１背面にその鍔状部が着脱可能に螺合されて開口部１ｄ同士を被装させている。この蓋状部材２で開口部１ｄ同士を被装させることで、開口部１ｄ同士を連通する連通路Ａが形成される。
【００１３】
また、この蓋状部材２の凹部２ａ内中間部には、蓋状部材２の長手方向と直交方向である短手方向に亘って凸部が並設されて略凹状のガイド溝２ｂが形成されている。このガイド溝２ｂは、後述する間仕切り手段３の一構成要素となる。
【００１４】
間仕切り手段３は、上記したガイド溝２ｂと、間仕切り板３１と、保持部３２と、漏音防止部材３３と、調整部材３４とを備えてなる。
【００１５】
間仕切り板３１は、図４及び図５に示すように、上部が凹状に切欠された略矩形状に形成され、その所要長さで張り出した上部の一側面にラック３１ａが刻設されている。また、そのラック３１ａより下方の下部が、上部より長く張り出し形成されていると共に、その下部が、ガイド溝２ｂとスライド可能に係合されるように所要の高さ及び幅でもって形成されている。
【００１６】
保持部３２は、ガイド溝２ｂと対向するように、第３空間部１ｃを形成させるキャビネット１内壁面から、ガイド溝２ｂと同じ幅でもって、略凹字状に突出形成されると共に、図２に示すように、一方の側壁３２ａの上部が対向する他方の側壁３２ｂの上部に向かって所要長さ延設されて、挿入された間仕切り板３１の上面を覆うようになっている。
【００１７】
また、この保持部３２の先端部は開口されており、その開口から、上記した間仕切り板３１が、そのラック３１ａ部分が露出するように挿入されてスライド可能に保持されている。
【００１８】
さらに、保持部３２が形成されたキャビネット１内壁面と対向したキャビネット１外壁面には、図４及び図５に示すように略矩形状の凹部１ｅが形成され、また、キャビネット１上壁面においてラック３１ａ部分と対応する位置に、連通孔１ｆを設けたボス１ｇが下方へ延設されている。また、キャビネット１上壁面に開口した連通孔１ｆの周囲が凹設されている。
【００１９】
漏音防止部材３３は、第３空間部１ｃ内に直接音が入り混むのを防止させるもので、図５に示すように、間仕切り板３１に摺接されるスリット３３ａが形成された略矩形状に形成され、上記した凹部１ｅに嵌合されている。
【００２０】
調整部材３４は、先端部にラック３１ａと噛合されるピニオンギア３４ａが刻設された軸体３４ｂと、先端に顎３４ｃが形成された筒部３４ｄが形成されると共に、その筒部３４ｄより大きい径からなる略円柱状の摘み部３４eとを備えて形成されている。そして、この調整部材３４は、ピニオンギア３４ａが突出するように筒部３４ｄに嵌合されると共に、ボス１ｇの下端部に顎３４ｃが係合されるように連通孔１ｆに遊挿されて、ピニオンギア３４ａとラック３１ａが噛合されている。
【００２１】
またこの調整部材３４の摘み部３４e上面には指針３４ｇが形成され、キャビネット１上壁面に凹設された連通孔１ｆの周囲に、指針３４ｇと対応する目盛り（図示せず）が形成されている。
【００２２】
以上のように構成された本実施の形態にかかるスピーカーシステムは、調整部材３４の摘み部３４eを回動することでピニオンギア３４ａが回動し、このピニオンギア３４ａと噛合したラック３１ａを介して保持部３２に保持された間仕切り板３１が前後する。なお、この間仕切り板３１のが前後の移動量は、指針３４ｇと目盛りによって定量的に外部から目視可能になっている。
【００２３】
これに伴い、蓋状部材２の凹部２ａ内中間部に形成したガイド溝２ｂに沿って間仕切り板３１が前後し、連通路Ａの中間部で、その連通路Ａを間仕切り及び間仕切りを開放する。なお、図６及び図７は、連通路Ａを間仕切りした状態を示す。
【００２４】
このように本実施の形態にかかるスピーカーシステムは、第１空間部１ａと第２空間部１ｂとを繋ぐ連通路Ａを間仕切り及び間仕切りを開放するようになっているが、エンクロージャー（スピーカーボックス）としての基本形態としては、密閉型のエンクロージャーが形成されている。しかし、左右のスピーカーＳの空間部を分断させたり共用することで、内容積の変化に加えて左右のスピーカーＳの位相関係を利用して音質調整ができるようになっている。
【００２５】
すなわち、連通路Ａを間仕切りした場合、素直な音質が特徴の密閉型のエンクロージャーが夫々形成され、連通路Ａを開放した場合、低音再生限界を下げることができる。
もちろん、連通路Ａを間仕切り具合（絞り具合）によって音質は変化し、音声信号に電気的な調整を加えることなく音質調整ができる。
【００２６】
なお、蓋状部材２を取り外すことで、スピーカーＳの背面に設けた開口部１ｄが露出して、第１空間部１ａと第２空間部１ｂは夫々バスレフ型に似たタイプのエンクロージャーを形成することができる。もっとも、開口部１ｄに低域共振用のポート（ダクト）を設ければ、バスレフ型タイプのエンクロージャーが形成できる。
【００２７】
以上、具体的な実施の形態について説明したが、本発明は上記実施の形態に限定されず、発明の要旨を変更しない範囲で適宜変更して実施できることは言うまでもない。
【００２８】
また、本実施の形態では、ＣＤやＭＤ等の音楽再生が可能なポータブルタイプの音楽再生装置に組み込まれるものを例示したが、本発明は、他のオーディオ機器やテレビ、スピーカシステム単体など、音を再生するものであれば適用可能である。
【００２９】
また、本発明は、キャビネット１内に隔壁１１を設けて形成した少なくとも第１空間部１ａと第２空間部１ｂの双方にスピーカーＳを配設し、第１空間部１ａと第２空間部１ｂとを連通する連通路Ａを形成すると共に、その連通路Ａを間仕切り及び間仕切りを開放して音道を選択的に形成する方法であれば特に限定されない。
【図面の簡単な説明】
【００３０】
【図１】本実施の形態にかかるスピーカーシステムの背面側斜視図である。
【図２】縦断背面図である。
【図３】横断平面図である。
【図４】縦断拡大左側面図である。
【図５】一部透過させた状態の分解斜視図である。
【図６】間仕切りした状態の要部における横断拡大平面図である。
【図７】間仕切りした状態の縦断拡大左側面図である。
【符号の説明】
【００３１】
１  キャビネット
１１  隔壁
１ａ  第１空間部
１ｂ  第２空間部
１ｃ  第３空間部
１ｄ  開口部
１ｅ  凹部
１ｆ  連通孔
１ｇ  ボス
２  蓋状部材
２ａ  凹部
２ｂ  ガイド溝
３  間仕切り手段
３１  間仕切り板
３１ａ  ラック
３２  保持部
３２ａ  一方の側壁
３２ｂ  他方の側壁
３３  漏音防止部材
３３ａ  スリット
３４調整部材
３４ａ  ピニオンギア
３４ｂ  軸体
３４ｃ  顎
３４ｄ  筒部
３４ｅ  摘み部
３４ｇ  指針
Ａ  連通路
Ｓ  スピーカー
【図１】
2007243538.tif 000003
【図２】
2007243538.tif 000004
【図３】
2007243538.tif 000005
【図４】
2007243538.tif 000006
【図５】
2007243538.tif 000007
【図６】
2007243538.tif 000008
【図７】
2007243538.tif 000009